(57)【特許請求の範囲】
【請求項１】
上部が開口した箱本体と、該箱本体に対応して開閉可能に連結された上蓋と、前記箱本体内に装設され装飾品を載置可能とすると共にその中央部に一方から他方に向けて配設された切込溝を有する支持マットとを備えてなる宝石箱であって、
前記上蓋は前記箱本体に対して起伏回動により開閉される構造とすると共に、この上蓋の内側の面に前記支持マットを照明する発光手段を設け、
前記切込溝を前記箱本体の正面に対して直交する方向に配設すると共に、この切込溝の溝面の縦断面形状をＶ字状とし、
前記切込溝を構成する両溝面の上端面側に、リング状の装飾品を水平に保持する装飾品保持部をそれぞれ設けたことを特徴とする宝石箱。
【請求項２】
前記請求項１に記載の宝石箱において、
前記切込溝により形成される前記支持マットの上面の縦断面形状を、銀杏の葉状の末広がり形状としたことを特徴とする宝石箱。
【請求項３】
前記請求項１又は２に記載の宝石箱において、
前記切込溝を構成する両溝面は、その縦断面形状が、前記箱本体正面に対して左右対称（線対称）としたことを特徴とする宝石箱。
【請求項４】
前記請求項１に記載の宝石箱において、
前記装飾品保持部を、リング状の装飾品の直径方向左右各１箇所で支持する右端支持部と左端支持部としたことを特徴とする宝石箱。
【請求項５】
前記請求項１に記載の宝石箱において、
前記装飾品保持部を、前記切込溝の両溝面の一部で且つ同一高さ位置に形成された一方と他方の水平載置面により構成したことを特徴とする宝石箱。
【請求項６】
前記請求項１に記載の宝石箱において、
前記装飾品保持部を、前記切込溝の両溝面の一部を突出させてなる一方と他方の突出部により構成したことを特徴とする宝石箱。
【請求項７】
前記請求項１に記載の宝石箱において、
前記装飾品保持部を、前記切込溝の両溝面の一部を切削させてなる一方と他方の切削部により構成したことを特徴とする宝石箱。
【請求項８】
前記請求項１に記載の宝石箱において、
前記装飾品保持部を、前記切込溝の一部で且つ同一高さ位置に形成された一方と他方の係止部材により構成したことを特徴とする宝石箱。
【請求項９】
前記請求項８に記載の宝石箱において、
前記装飾品保持部である前記係止部材を、前記支持マットと同一色の部材により形成したことを特徴とする宝石箱。
【請求項１０】
前記請求項１乃至９の何れか一つに記載の宝石箱において、
前記発光手段は、前記支持マット上の前記装飾品及びその周辺領域を含む中央領域を照明する構成としたことを特徴とする宝石箱。
【請求項１１】
前記請求項１０に記載の宝石箱において、
前記発光手段は、前記支持マット上に水平に保持されたリング状の装飾品に対し、その回転中心軸に対して斜め上方から照明する構成としたことを特徴とする宝石箱。
【請求項１２】
前記請求項１乃至１１の何れか一つに記載の宝石箱において、
前記発光手段を前記上蓋の内側の面に複数配列したことを特徴とする宝石箱。
【発明の詳細な説明】
【技術分野】
【０００１】
本発明は、指輪等の装飾品を収納する宝石箱に関し、特に上蓋を開いた状態で現れる視覚的な演出を効果的に利用し得るようにした宝石箱に関する。
【背景技術】
【０００２】
従来、指輪やイヤリング等の装飾品を収納する宝石箱は、装飾品を支持する支持マットを有する箱本体と、箱本体に対しヒンジ等を介して開閉可能に連結される上蓋とから主に構成されている。とりわけダイヤモンド等の宝石がリングの一部にあしらわれるような指輪を収納する宝石箱に関しては、上蓋を開放した状態で指輪が美しく見え、また指輪を容易に取り出せるようにするために、指輪を挟持するスリット状の切込溝が、通常正面から見て横向きに支持マット上に予め形成されたものが周知となっている。
【０００３】
また、近年、上蓋を開放したときに内部の装飾品をより美しく見せるような演出が施された宝石箱も提案されている。例えば特許文献１に記載される宝石箱は、ＬＥＤランプを上蓋の内側に設け、上蓋を開放したときにＬＥＤランプを点灯させて、内部の指輪や宝石等を輝かせて見せるようにしている。また、特許文献２に開示される宝石箱は、箱本体側に設けた発光手段により指輪等を照明するとともに、上蓋には当該発光手段からの光を透光させる透光手段が設けられている。
【０００４】
【特許文献１】実登３１１１６０８号公報
【特許文献２】実開平３−６７１２４号公報
【発明の開示】
【発明が解決しようとする課題】
【０００５】
ところで、上述の発光手段を備えた従来の宝石箱によれば、装飾品を照明して輝かせる等の視覚に訴える演出はできるものの、その内容は装飾品自体を照明する範囲に留まるものであり、例えば装飾品を贈られた意中の人に意外性を与えるといった、より興趣を伴った演出を創出するものではなかった。
【０００６】
本発明は、こうした従来の課題に鑑みてなされたものであり、上蓋を開いた状態で現れる視覚的な演出を従来よりもより一層効果的に行えるようにした宝石箱を提供することを、その目的とする。
【課題を解決するための手段】
【０００７】
上述した課題を解決するために本発明は、上部が開口した箱本体と、該箱本体に対応して開閉可能に連結された上蓋と、前記箱本体内に装設され装飾品を載置可能とすると共にその中央部に一方から他方に向けて配設された切込溝を有する支持マットとを備えてなる宝石箱であって、前記上蓋は前記箱本体に対して起伏回動により開閉される構造とすると共に、この上蓋の内側の面に前記支持マットを照明する発光手段を設け、前記切込溝を前記箱本体の正面に対して直交する方向に配設すると共に、この切込溝の溝面の縦断面形状をＶ字状とし、前記切込溝を構成する両溝面の上端面側に、リング状の装飾品を水平に保持する装飾品保持部をそれぞれ設けたことを特徴とする。
【発明の効果】
【０００８】
本発明の宝石箱によれば、上蓋を開けた状態にあっては、収納された装飾品が輝くように照明される。これとともに、前記発光手段による光照射方向に沿う支持マット上の中央縦方向に、断面Ｖ字状の切込溝を設けたので、支持マット上にリング状の装飾品を水平に置くことにより、例えばハート状の影を支持マットの上面である溝面に投影することができる。このように美感性に富み、興趣と意外性のある演出が可能となり、これにより従来にはない優れた宝石箱を提供することができる。
【発明を実施するための最良の形態】
【０００９】
以下、本発明に係る宝石箱の実施形態を図面を参照しながら説明する。
図１は本発明の一つの実施例による宝石箱１の斜視図、図２は上蓋を開けた状態で、図１に示されるＺＸ面で宝石箱１の略中央を切断した場合の縦断面図、図３は上蓋を開けた状態で、図１に示されるＺＹ面で宝石箱１の略中央を切断した場合の縦断面図である。ここで、これらの図に示される実施例の宝石箱１は、装飾品としてリング状の指輪Ｒを収納するためのものである。しかし、本発明は指輪用に限定するものではなく、イヤリング、ネックレス、タイピン等の他の様々な装飾品を収容する宝石箱にもそれぞれのデザイン形状に応じて適宜応用することが可能である。
【００１０】
これらの図において、宝石箱１は、上部側が開口する箱本体２と、この箱本体２に対応してヒンジ部材４を介して開閉可能に連結された上蓋３とを備えている。箱本体２及び上蓋３の外装部分には、高級な質感と触感を出すためにベルベット等の起毛素材が用いられている。箱本体２の内部には、指輪Ｒを載置可能とするとともに予め形成された切込溝８に挟持可能なクッション素材の支持マット７が装設されている。
【００１１】
切込溝８は、支持マット７の中央において、観察者がいる正面に対し直交する方向（図１に示すＹ軸方向）、すなわち縦長に配設されている。切込溝８は、通常、指輪Ｒの一端を差し込んで挟持するための溝として支持マット７の中央に形成される。また、切込溝８は、図２に示されるようにその溝面７ａ，７ｂの縦断面形状をＶ字状とし、当該切込溝８を中心に所定の曲率で左右に拡開する銀杏の葉状の末広がり形状として形成されている。換言すると、支持マット７の左右の溝面７ａ，７ｂは、切込溝８の深部から上方に向かうにつれて相互に離間する方向に湾曲する左右対称の曲面としてそれぞれ形成されている。ここで、切込溝８については、溝面７ａ，７ｂを平坦面とする断面Ｖ字形状としてもよい。
【００１２】
支持マット７には、宝石箱としての高級感を醸し出し、また後述する影Ｓの投影効果を高めるために、例えば白色のサテン又はシルク等の光沢性を有する布材が上面に用いられている。また、図３に示すように支持マット７の内部には、バッテリ１１が収納されている。このバッテリ１１としては、本実施形態では円板状の電池が使用されている。また、このバッテリ１１は、上蓋３側に装備してもよい。
【００１３】
このような上面形状の支持マット７には、リング状の指輪Ｒをその直径方向の端部２点で水平に保持するための装飾品保持部が形成されている。
【００１４】
ここで、図４乃至図８は、それぞれ装飾品保持部の他の実施例を示す縦断面図である。図４に示す装飾品保持部にあっては、切込溝８の溝面７ａ，７ｂにおいて同一高さ位置の左右各１箇所に突出させてなるそれぞれの突出部１５ａ，１５ｂにより、リング状の指輪Ｒの各端部を載置する水平載置面を形成している。また、図５に示す更に別の実施例では、切込溝８の溝面７ａ，７ｂにおける同一高さ位置の左右各１箇所を、リング状の指輪Ｒの外径に整合させて切削した切削部１６ａ，１６ｂにより、それぞれ装飾品保持部を形成している。
【００１５】
また、図６に示す更に別の実施例では、切込溝８の溝面７ａ，７ｂにおいて同一高さ位置に係止部材１７ａ，１７ｂをそれぞれ形成し、指輪Ｒの内側端部２点を係止部材１７ａ，１７ｂが係止して水平に保持する構成としたものである。ここで、係止部材１７ａ，１７ｂは、塑性変形が自由な針金等の芯材で構成することができる。
【００１６】
図７は、図６に示した係止部材の他の実施例を示した縦断面図である。同図に示される係止部材１８ａ，１８ｂは、溝面７ａ，７ｂの同一高さ位置２箇所において植設された逆Ｊ字状の形状を有する弾性部材から形成される。この係止部材１８ａ，１８ｂが、互いに外側に開くように指輪Ｒの内側端部に弾性当接することにより、指輪Ｒが支持マット７上において水平に保持される。そして、係止部材１８ａ，１８ｂの先端部が、指輪Ｒの外周側に回り込む形状を有していることで、更に安定して指輪Ｒを保持できるようにする。
【００１７】
かかる構成の装飾品保持部により、装飾品を安定して水平に保持し、宝石箱１の取り扱い及び持ち運びの利便性等を向上させることができる。
【００１８】
また、図８は、図６に示した係止部材の更に別の実施例を示した縦断面図である。同図に示される係止部材１９ａ，１９ｂは、様々な断面形状の指輪Ｒにも対応可能なように、支持マット７に対し差し換え可能なアタッチメント部材としたものである。すなわち、係止部材１９ａ，１９ｂは、指輪Ｒが嵌挿可能な一部開口する係止部と、この係止部と一体をなすピン部とからなり、このピン部を支持マット７に差し込むことで、溝面７ａ，７ｂの任意の位置に取り付け可能となっている。この係止部の形状を指輪Ｒの断面形状に合わせることで、様々な指輪や装飾品にも対応することができる。また、指輪Ｒの１点を支持し立てた状態で保持することも可能である。
【００１９】
なお、上述した装飾品保持部としての係止部材１７ａ，１７ｂ，１８ａ，１８ｂ，１９ａ，１９ｂは、美観上、目立たないようにするために、支持マット７と同一色の部材で形成されることが望ましい。
【００２０】
次に、上蓋３は、箱本体２の上側開口部を閉塞する位置から約８０度起伏回動した開放位置に保持される。また、上蓋３の内側面５には、発光手段としてのＬＥＤ素子６が設けられている。
【００２１】
このＬＥＤ素子６は、箱本体２の背面に設けられたスイッチ９によりオンオフ動作するように設けられている。なお、箱本体２の開口部に当接する上蓋３の縁部にスイッチ９を設け、上蓋３の開閉動作に連動して、ＬＥＤ素子６をオンオフさせてもよい。
【００２２】
また、ＬＥＤ素子６は、上蓋３が起伏回動して箱本体２を開放する状態で、切込溝８を含む仮想の鉛直平面延長上に配置されるとともに、支持マット７上に水平に載置された指輪Ｒの回転中心軸に対し、後方（図１に示すＹ軸方向）に所定角度偏倚した方向から当該指輪Ｒ及びその周辺領域を含む中央領域を照明するよう構成されている。すなわち、ＬＥＤ素子６は、上蓋３を開けた状態で、Ｖ字状の切込溝８に沿い、且つ、水平に載置された指輪Ｒに対し斜め後方から光を照射する位置に配置されている。
【００２３】
次に、かかる構成の宝石箱１による演出動作を説明する。上蓋３を箱本体２から開けた状態において、図９に示した電源回路によりスイッチ９をオンすると、バッテリ１１からの電流が電流制限抵抗１２により所定量に制限されてＬＥＤ素子６に供給される。これによりＬＥＤ素子６が点灯し、支持マット７に水平姿勢で載置された指輪Ｒに対し、ＬＥＤ光が切込溝８に沿って斜め後方から照射される。
【００２４】
これにより、指輪Ｒそのものを照明して輝かせて見せるとともに、支持マット７の両溝面７ａ，７ｂに投影される指輪Ｒの影Ｓが、正面前方へ延びたハート状となって現れる（図１０参照）。かかるハート状の影Ｓは、リング状の指輪Ｒの形状からは容易には予想し難いため、本宝石箱１は、観察者に対し美感性に富み、更に従来にはない興趣と意外性のある演出を提供することができる。
【００２５】
ところで、かかるハート状の影Ｓは、水平に載置された指輪Ｒの寸法形状、溝面７ａ，７ｂの形状及びＬＥＤ素子６との位置関係により決定される。
【００２６】
ここで、図１１は、これら幾何学的な位置関係を若干単純化して、ＸＹＺ座標系で表したモデル図である。このモデルに基づき溝面７ａ，７ｂに投影される影Ｓの一般化した形状を説明する。図１１に示されるモデルは、指輪Ｒを半径ｒ、高さｈの厚みのない円と仮定し、溝面７ａ，７ｂを平面として単純化している。また、ＸＹ平面と溝面７ａ、７ｂとがなす角度をφ１とし、ＬＥＤ素子６からの光を平行光と近似して仮定した場合の、指輪Ｒの回転中心軸（Ｚ軸）に対するＬＥＤ素子６からの光線がなす角度をφ２とした。また、指輪Ｒの下部面と当該指輪Ｒの回転中心軸とが交差する点をＸＹＺ座標系の原点Oとして設定した。
【００２７】
このモデルにより、指輪Ｒのリング上の任意の点Ｐ（ｘ，ｙ，ｈ）（数式１）がＬＥＤ素子６を中心として右側の溝面７ｂに投影する点ＳＰ（＋）または左側の溝面７ａに投影する点ＳＰ（−）の座標は、Ｐのパラメータ（ｘ，ｙ，ｈ）を用いて数式２により表すことができる。
【００２８】
このモデルに基づき、各溝面７ａ，７ｂのＸＹ平面に投影される点ＳＰ群の写像の一例を図１２に示す。ここで、図１２は、指輪Ｒの半径ｒを１０ｍｍ、高さｈを５ｍｍ、溝面７ａ，７ｂの角度φ１を３０°、Ｚ軸と光線とのなす角度φ２を４０°とした場合であり、指輪Ｒの上端部Ｐｈによる写像ＳＰｈと、下端部Ｐ０による写像ＳＰ０とを重ねて表示している。このように、切込溝８に沿ってその延長平面上の１点にある光源（ＬＥＤ素子６）からの照射光による指輪Ｒの溝面７ａ，７ｂへの投影写像は、かかるハート状となって現れることが解る。更に、溝面７ａ，７ｂを曲面で形成することで、指輪の影Ｓをより丸みをある、或いはよりシャープなハート状とすることも可能である。
【００２９】
本発明においては上述した実施例以外にも、例えばＬＥＤ素子６を上蓋３の内側面に２個（ないしは複数）配列し、２つのハートの影Ｓを重ねるように演出してもよい。また、ＬＥＤ素子６の点灯・点滅を制御して影Ｓを動的に変化させることも可能である。また、指輪Ｒを立てた状態で、その回転中心軸方向斜め後方から照明して影を投影してもよい。更に装飾品としては指輪に限定するものでなく、収納する装飾品に合わせて溝面７ａ，７ｂの形状を適宜工夫して、ハート以外にも様々な影を演出することも可能である。
【図面の簡単な説明】
【００３０】
【図１】本発明の一実施例による宝石箱の外観斜視図である。
【図２】図１に示した宝石箱において上蓋を開けた状態で正面に対し平行で且つ装飾品の中央部を含む縦断面図である。
【図３】図１に示した宝石箱において上蓋を開けた状態で正面に対し直交し且つ上蓋及び装飾品の中央部を含む縦断面図である。
【図４】図１に示した支持マットの他の実施例を表した縦断面図である。
【図５】図１に示した支持マットの更に他の実施例を表した縦断面図である。
【図６】図１に示した支持マットの更に他の実施例を表した縦断面図である。
【図７】図６に示した係止部材の他の実施例を表した縦断面図である。
【図８】図６に示した係止部材の更に他の実施例を表した縦断面図である。
【図９】図１に示した上蓋に設けられるＬＥＤ素子を駆動するための電気回路の一例である。
【図１０】図１に示した支持マットの両溝面に投影される指輪の影の一例を表した平面図である。
【図１１】指輪、溝面及びＬＥＤ素子の位置関係をＸＹＺ座標系で表したモデル図である。
【図１２】図１１に示したモデルにおいて溝面のＸＹ平面に投影される指輪の写像の一例を表した図である。
【符号の説明】
【００３１】
１  宝石箱
２  箱本体
３  上蓋
６  ＬＥＤ素子
７  支持マット
７ａ，７ｂ  溝面
Ｒ  指輪
Ｓ  影
【図１】
0005260143.tif 000002
【図２】
0005260143.tif 000003
【図３】
0005260143.tif 000004
【図４】
0005260143.tif 000005
【図５】
0005260143.tif 000006
【図６】
0005260143.tif 000007
【図７】
0005260143.tif 000008
【図８】
0005260143.tif 000009
【図９】
0005260143.tif 000010
【図１０】
0005260143.tif 000011
【図１１】
0005260143.tif 000012
【図１２】
0005260143.tif 000013